(57)【要約】【課題】高所に設置された場合でも、端末を近距離無線通信回路のアンテナ部に正対させて接近させ易く、かつ施工者が近距離無線通信回路の位置を確認し易くすることができるパワーコンディショナを得ること。【解決手段】パワーコンディショナ３は、前方から下方および後方へ傾斜する傾斜面１１ｂを含む前面パネル１１を有する筐体１０と、傾斜面１１ｂの裏側に設けられる、近距離無線通信回路が実装された基板１２とを備える。【選択図】図６
2019149865.tif 000002
【特許請求の範囲】
【請求項１】
前方から下方および後方へ傾斜する傾斜面を含む前面部を有する筐体と、
前記傾斜面の裏側に設けられる、近距離無線通信回路が実装された基板と
を備えることを特徴とするパワーコンディショナ。
【請求項２】
前記前面部は、前面を含み、
前記傾斜面は、前記前面の下端から傾斜する
ことを特徴とする請求項１に記載のパワーコンディショナ。
【請求項３】
前記傾斜面は、前記前面から０°よりも大きく９０°よりも小さな角度で傾斜する
ことを特徴とする請求項２に記載のパワーコンディショナ。
【請求項４】
前記角度は、前記パワーコンディショナの固定位置の高さに比例した大きさである
ことを特徴とする請求項３に記載のパワーコンディショナ。
【請求項５】
前記傾斜面は、前記前面部の最下部に配置される
ことを特徴とする請求項１から４のいずれか１項に記載のパワーコンディショナ。
【請求項６】
前記前面部は、前記近距離無線通信回路のアンテナ部の位置を示すマークを有する
ことを特徴とする請求項１から５のいずれか１項に記載のパワーコンディショナ。
【請求項７】
下面を有する筐体と、
前記下面の裏側に設けられる、近距離無線通信回路が実装された基板と
を備えることを特徴とするパワーコンディショナ。
【請求項８】
前記下面は、前記近距離無線通信回路のアンテナ部の位置を示すマークを有する
ことを特徴とする請求項７に記載のパワーコンディショナ。
【請求項９】
パワーコンディショナ本体部と、
壁に固定され、前記パワーコンディショナ本体部に対する設定操作を行うコントローラと
を備え、
前記コントローラの前面部の内側に、近距離無線通信回路が実装された基板を設ける
ことを特徴とするパワーコンディショナ。
【請求項１０】
前記コントローラの前面部は、前記近距離無線通信回路のアンテナ部の位置を示すマークを有する
ことを特徴とする請求項９に記載のパワーコンディショナ。
【発明の詳細な説明】
【技術分野】
【０００１】
本発明は、太陽光発電システムを構成するパワーコンディショナに関する。
【背景技術】
【０００２】
太陽光発電システムの施工の際に、施工者は、太陽光発電システムを構成するパワーコンディショナに、電力会社との取り決めによる制御値である整定値、および太陽光発電システムの動作のための設定値を設定する必要がある。
【０００３】
パワーコンディショナが近距離無線通信（Near  Field  Communication：ＮＦＣ）回路を備える場合は、施工者は、近距離無線通信機能を備える端末を、パワーコンディショナの近距離無線通信回路に近づけて、近距離無線通信を利用してパワーコンディショナに上述した整定値および設定値を設定することが可能である。
【０００４】
たとえば、特許文献１には、外部装置と近距離無線通信を行う複合機が開示されている。
【先行技術文献】
【特許文献】
【０００５】
【特許文献１】特開２０１５−１２５７３２号公報
【発明の概要】
【発明が解決しようとする課題】
【０００６】
しかしながら、太陽光発電システムを構成するパワーコンディショナは、特許文献１に記載の複合機とは異なり、壁の高い位置に取り付けられることが多い。このため、パワーコンディショナには、高所に設置された場合でも、端末を近距離無線通信回路のアンテナ部に正対させて接近させ易く、かつ施工者が近距離無線通信回路の位置を確認し易いことが求められる。
【０００７】
本発明は、上記に鑑みてなされたものであって、高所に設置された場合でも、端末を近距離無線通信回路のアンテナ部に正対させて接近させ易く、かつ施工者が近距離無線通信回路の位置を確認し易くすることができるパワーコンディショナを得ることを目的とする。
【課題を解決するための手段】
【０００８】
上述した課題を解決し、目的を達成するために、本発明にかかるパワーコンディショナは、前方から下方および後方へ傾斜する傾斜面を含む前面部を有する筐体を備える。パワーコンディショナは、傾斜面の裏側に設けられる、近距離無線通信回路が実装された基板を備える。
【発明の効果】
【０００９】
本発明によれば、高所に設置された場合でも、端末を近距離無線通信回路のアンテナ部に正対させて接近させ易く、かつ施工者が近距離無線通信回路の位置を確認し易くすることができる、という効果を奏する。
【図面の簡単な説明】
【００１０】
【図１】本発明の実施の形態１にかかるパワーコンディショナを備える太陽光発電システムの構成例を説明するための模式図
【図２】図１に示すパワーコンディショナが備える近距離無線通信回路の一例を説明するための模式図
【図３】図２に示す回路部およびアンテナ部が実装される基板の一例を説明するための図
【図４】図１に示すパワーコンディショナの一例を示す正面図
【図５】図１に示すパワーコンディショナの一例を示す底面図
【図６】図１に示すパワーコンディショナの一例を示す右側面図
【図７】図１に示すパワーコンディショナに対して、端末を利用して近距離無線通信を行う様子を示した図
【図８】図１に示すパワーコンディショナに対して、端末を利用して近距離無線通信を行う様子を示した図
【図９】本発明の実施の形態２にかかるパワーコンディショナの一例を示す正面図
【図１０】本発明の実施の形態２にかかるパワーコンディショナの一例を示す底面図
【図１１】本発明の実施の形態２にかかるパワーコンディショナの一例を示す右側面図
【図１２】本発明の実施の形態２にかかるパワーコンディショナに対して、端末を利用して近距離無線通信を行う様子を示した図
【図１３】本発明の実施の形態２にかかるパワーコンディショナに対して、端末を利用して近距離無線通信を行う様子を示した図
【図１４】本発明の実施の形態３にかかるパワーコンディショナを備える太陽光発電システムの構成例を説明するための模式図
【図１５】図１４に示す表示器が備える近距離無線通信回路の一例を説明するための模式図
【図１６】図１４に示す表示器に対して、端末を利用して近距離無線通信を行う様子を示した図
【図１７】図１４に示す表示器に対して、端末を利用して近距離無線通信を行う様子を示した図
【発明を実施するための形態】
【００１１】
以下に、本発明の実施の形態にかかるパワーコンディショナを図面に基づいて詳細に説明する。なお、この実施の形態によりこの発明が限定されるものではない。
【００１２】
実施の形態１．
まず、本発明の実施の形態１にかかるパワーコンディショナについて説明する。図１は、本発明の実施の形態１にかかるパワーコンディショナを備える太陽光発電システムの構成例を説明するための模式図である。
【００１３】
図１に示す、太陽光発電システム１は、太陽光発電用のパネル２と、パワーコンディショナ３とを備える。パネル２とパワーコンディショナ３とは電気的に接続される。
【００１４】
パワーコンディショナ３は、屋内に設置される。パワーコンディショナ３は、屋外に設置されてもよい。パワーコンディショナ３は、屋内または屋外の壁の高い位置に取り付けられることが多い。ここで、高い位置とは、２ｍといった人間（施工者）の身長よりも高い位置が一例として挙げられる。パワーコンディショナ３は、住宅用の分電盤４に接続される。パワーコンディショナ３は、分電盤４を介して家庭内負荷５に接続される。パワーコンディショナ３は、系統電源６にも接続される。パワーコンディショナ３は、パネル２から供給された直流電圧を交流電圧に変換する。パワーコンディショナ３で変換された交流電圧は分電盤４に供給され、家庭内負荷５で電力が消費される。パワーコンディショナ３で変換された交流電圧は系統電源６にも供給可能である。
【００１５】
家庭内負荷５で消費される電力が、パワーコンディショナ３から家庭内負荷５へ供給される電力よりも小さい場合は、余剰の電力はパワーコンディショナ３から系統電源６に供給される。家庭内負荷５で消費される電力が、パワーコンディショナ３から家庭内負荷５へ供給される電力よりも大きい場合は、不足分の電力は系統電源６から家庭内負荷５へ買電により供給される。
【００１６】
図２は、図１に示すパワーコンディショナが備える近距離無線通信回路の一例を説明するための模式図である。
【００１７】
図２に示す、パワーコンディショナ３は、近距離無線通信回路を構成する、回路部８およびアンテナ部９を備える。これにより、パワーコンディショナ３は、近距離無線通信機能を備える端末７と、近距離無線通信が可能になる。
【００１８】
図３は、図２に示す回路部およびアンテナ部が実装される基板の一例を説明するための図である。
【００１９】
図３に示す、基板１２には、回路部８およびアンテナ部９が実装されている。回路部８およびアンテナ部９は、近距離無線通信回路を構成する。
【００２０】
図４は、図１に示すパワーコンディショナの一例を示す正面図である。図５は、図１に示すパワーコンディショナの一例を示す底面図である。図６は、図１に示すパワーコンディショナの一例を示す右側面図である。図４から図６では、図３に示す基板１２のパワーコンディショナ３内での取り付け位置が示されている。
【００２１】
図４から図６に示す、パワーコンディショナ３は、内部に回路などが搭載される筐体１０と、筐体１０の前面を覆うように設けられる前面パネル１１とを備える。前面パネル１１は、前面部の一例である。筐体１０は、前面パネル１１を有する。前面パネル１１は、筐体１０に対して開閉可能なものである。前面パネル１１は、筐体１０に対して着脱可能なものであってもよい。以下では、パワーコンディショナ３の正面側を前とし、背面側を後ろとする。
【００２２】
前面パネル１１は、前面１１ａと、前面１１ａの下端から０°よりも大きく９０°よりも小さな角度θで下方および後方へ傾斜する傾斜面１１ｂとを含む。前面１１ａは、平面であってもよく、曲面であってもよい。傾斜面１１ｂは、前面パネル１１の最下部に配置される。基板１２は、前面パネル１１の内側であって、傾斜面１１ｂの裏側に設けられる。基板１２は、上述した近距離無線通信回路の実装面が前面１１ａから上記角度θで下方および後方へ傾斜するように、前面パネル１１の内側であって、傾斜面１１ｂの裏側に下方に向けて設けられることが好ましい。パワーコンディショナ３の構造によっては、基板１２は、傾斜面１１ｂの裏側であって、筐体１０の内部に設けられてもよい。前面パネル１１には、基板１２のアンテナ部９の位置を示すマーク１３が設けられる。マーク１３は、たとえば前面パネル１１に印刷される。
【００２３】
図７および図８は、図１に示すパワーコンディショナに対して、端末を利用して近距離無線通信を行う様子を示した図である。図７には、たとえば太陽光発電システム１の施工者が、パワーコンディショナ３に近づく前に、近距離無線通信回路の位置を確認している様子が示されている。図８には、施工者が、端末７を近距離無線通信回路に近づけて、端末７を利用して近距離無線通信を行っている様子が示されている。
【００２４】
本実施の形態によれば、前面１１ａから０°よりも大きく９０°よりも小さな角度θで下方および後方へ傾斜する傾斜面１１ｂの裏側に基板１２が設けられる。これにより、パワーコンディショナ３が壁の高い位置に取り付けられる場合であっても、施工者は、近距離無線通信回路の位置を確認し易く、また端末７をパワーコンディショナ３の近距離無線通信回路に正対させて近づけ易く、端末７を利用した近距離無線通信が行い易い。パワーコンディショナ３が壁の高い位置に取り付けられる場合、前面パネル１１が傾斜面１１ｂを含んでいない場合であって、たとえば壁と平行となる前面の裏側に基板１２が設けられている場合には、施工者は、端末７をパワーコンディショナ３の近距離無線通信回路に正対させて近づける場合には、たとえば背伸びをしないといけない場合があり、端末７をパワーコンディショナ３の近距離無線通信回路に正対させて近づけ難い。ここで、角度θは、パワーコンディショナ３の固定位置の高さに比例して大きくするのが好ましい。
【００２５】
本実施の形態によれば、前面パネル１１の傾斜面１１ｂには、内側に設けられる、基板１２のアンテナ部９の位置を示すマーク１３が設けられる。これにより、施工者は、マーク１３によってアンテナ部９の位置を容易に確認できるので、端末７をパワーコンディショナ３の近距離無線通信回路に近づけ易い。パワーコンディショナ３が壁の高い位置に取り付けられる場合、基板１２が、傾斜面１１ｂの裏側に設けられてなく、マーク１３が、傾斜面１１ｂに設けられてなく、たとえば壁と平行となる前面の裏側に基板１２が設けられ、前面にマーク１３が設けられている場合には、施工者は、マーク１３を下方から確認し難い。
【００２６】
本実施の形態では、前面パネル１１が前面１１ａを含まずに傾斜面１１ｂのみを含んでいてもよいが、前面パネル１１が前面１１ａと傾斜面１１ｂとを含む場合には、前面パネル１１が傾斜面１１ｂのみを含む場合と比較して、前面パネル１１の内側の空間を広くすることができる。
【００２７】
本実施の形態では、前面パネル１１の最下部に傾斜面１１ｂを設けたが、前面パネル１１の中央部に、傾斜面を設けるようにしてもよい。この場合は、前面パネル１１は、傾斜していない上側前面と、傾斜面と、傾斜していない下側前面とを含む２段形状となる。
【００２８】
実施の形態２．
次に、本発明の実施の形態２にかかるパワーコンディショナについて説明する。図９は、本発明の実施の形態２にかかるパワーコンディショナの一例を示す正面図である。図１０は、本発明の実施の形態２にかかるパワーコンディショナの一例を示す底面図である。図１１は、本発明の実施の形態２にかかるパワーコンディショナの一例を示す右側面図である。図９から図１１では、図３に示す基板１２と同様の基板１２Ａのパワーコンディショナ３Ａ内での取り付け位置が示されている。
【００２９】
図９から図１１に示す、パワーコンディショナ３Ａは、内部に回路などが搭載される筐体１０Ａと、筐体１０Ａの前面を覆うように設けられる前面パネル１１Ａとを備える。前面パネル１１Ａは、前面部の一例である。筐体１０Ａは、前面パネル１１Ａを有する。前面パネル１１Ａは、筐体１０Ａに対して開閉可能なものである。前面パネル１１Ａは、筐体１０Ａに対して着脱可能なものであってもよい。
【００３０】
前面パネル１１Ａは、前面１１ｃと、下面１１ｄとを含む。下面１１ｄは、前面１１ｃから９０°の角度θ´で後方へ傾斜する。基板１２Ａは、前面パネル１１Ａの内側であって、下面１１ｄの裏側に、下面１１ｄに平行に設けられる。パワーコンディショナ３Ａの構造によっては、基板１２Ａは、下面１１ｄの裏側であって、筐体１０Ａの内部に設けられてもよい。前面パネル１１Ａには、内側に設けられる、基板１２Ａのアンテナ部の位置を示すマーク１３Ａが設けられる。マーク１３Ａは、たとえば前面パネル１１Ａに印刷される。
【００３１】
図１２および図１３は、本発明の実施の形態２にかかるパワーコンディショナに対して、端末を利用して近距離無線通信を行う様子を示した図である。図１２には、たとえば太陽光発電システムの施工者が、パワーコンディショナ３Ａに近づく前に、近距離無線通信回路の位置を確認している様子が示されている。図１３には、施工者が、端末７を近距離無線通信回路に近づけて、端末７を利用して近距離無線通信を行っている様子が示されている。
【００３２】
本実施の形態によれば、下面１１ｄの裏側に基板１２Ａが設けられる。これにより、パワーコンディショナ３Ａが壁の高い位置に取り付けられる場合であっても、施工者は、近距離無線通信回路の位置を確認し易く、また端末７をパワーコンディショナ３Ａの近距離無線通信回路に正対させて近づけ易く、端末７を利用した近距離無線通信が行い易い。
【００３３】
本実施の形態によれば、前面パネル１１Ａの下面１１ｄには、内側に設けられる、基板１２Ａのアンテナ部の位置を示すマーク１３Ａが設けられる。これにより、施工者は、マーク１３Ａによってアンテナ部の位置を容易に確認できるので、端末７をパワーコンディショナ３Ａの近距離無線通信回路に近づけ易い。
【００３４】
本実施の形態では、開閉可能な前面パネル１１Ａの下面１１ｄに基板１２を配するようにしたが、筐体１０Ａが上面部、前面部、背面部、下面部および側面部を有する場合、筐体１Ａの下面部に基板１２を配するようにしてもよい。
【００３５】
実施の形態３．
次に、本発明の実施の形態３にかかるパワーコンディショナについて説明する。図１４は、本発明の実施の形態３にかかるパワーコンディショナを備える太陽光発電システムの構成例を説明するための模式図である。本実施の形態にかかる太陽光発電システム１４は、パワーコンディショナ３が基板１２を備えておらず、基板１９を備える表示器１５を備える点が、上述した実施の形態１と異なる。実施の形態１と重複した構成および作用については説明を省略し、以下に異なる構成および作用についての説明を行う。
【００３６】
図１４に示す、太陽光発電システム１４は、太陽光発電用のパネル２と、パワーコンディショナ３と、コントローラとしての表示器１５とを備える。パワーコンディショナ３は、パワーコンディショナ本体部の一例である。パワーコンディショナ３と表示器１５とはケーブル１６によって電気的に接続される。
【００３７】
表示器１５は、太陽光発電システム１４の各種設定のための設定画面の表示およびパワーコンディショナ３の各種状態表示が可能であり、各種設定の入力機能を含むものであり、各種設定の用に供されるものである。表示器１５は、パワーコンディショナ３が取り付けられる壁の低い位置に取り付けられてもよく、パワーコンディショナ３が取り付けられる部屋とは違う部屋の壁に取り付けられてもよい。表示器１５の固定位置は、これらに限定されない。ここで、低い位置とは、１．５ｍといった人間（施工者）の身長よりも低い位置が一例として挙げられる。
【００３８】
図１５は、図１４に示す表示器が備える近距離無線通信回路の一例を説明するための模式図である。
【００３９】
図１５に示す、表示器１５は、近距離無線通信回路を構成する、回路部１７およびアンテナ部１８を備える。表示器１５が備える近距離無線通信回路は、近距離無線通信回路の一例である。これにより、表示器１５は、近距離無線通信機能を備える端末７と、近距離無線通信が可能になる。
【００４０】
図１６および図１７は、図１４に示す表示器に対して、端末を利用して近距離無線通信を行う様子を示した図である。図１６には、たとえば太陽光発電システム１４の施工者が、表示器１５に近づく前に、近距離無線通信回路の位置を確認している様子が示されている。図１７には、施工者が、端末７を近距離無線通信回路に近づけて、端末７を利用して近距離無線通信を行っている様子が示されている。図１６および図１７では、図１５に示す回路部１７およびアンテナ部１８が実装される基板１９の表示器１５内での取り付け位置が示されている。
【００４１】
図１６および図１７に示す、表示器１５は、前面１５ａの内側に基板１９を備える。表示器１５の前面１５ａには、内部に設けられる、基板１９のアンテナ部１８の位置を示すマーク２０が設けられる。マーク２０は、たとえば表示器１５の前面１５ａに印刷される。
【００４２】
本実施の形態によれば、表示器１５の前面部の内側に基板１９が設けられる。これにより、パワーコンディショナ３が壁のさらに高い位置に取り付けられる場合であっても、施工者は、近距離無線通信回路の位置を確認し易く、また端末７を表示器１５の近距離無線通信回路に正対させて近づけ易く、端末７を利用した近距離無線通信が行い易い。ここで、さらに高い位置とは、３ｍといった人間（施工者）の手が届かない高い位置が一例として挙げられる。
【００４３】
本実施の形態によれば、表示器１５の前面１５ａには、基板１９のアンテナ部１８の位置を示すマーク２０が設けられる。これにより、施工者は、マーク２０によってアンテナ部１８の位置を容易に確認できるので、端末７を表示器１５の近距離無線通信回路に近づけ易い。
【００４４】
本実施の形態では、表示器１５が、近距離無線通信回路が実装された基板１９を備えるため、パワーコンディショナ３が基板１２を備えなくてもよいが、パワーコンディショナ３は基板１２を備えていてもよい。
【００４５】
以上の実施の形態に示した構成は、本発明の内容の一例を示すものであり、別の公知の技術と組み合わせることも可能であるし、本発明の要旨を逸脱しない範囲で、構成の一部を省略および変更することも可能である。
【符号の説明】
【００４６】
１，１４  太陽光発電システム、２  パネル、３，３Ａ  パワーコンディショナ、４  分電盤、５  家庭内負荷、６  系統電源、７  端末、８，１７  回路部、９，１８  アンテナ部、１０，１０Ａ  筐体、１１，１１Ａ  前面パネル、１１ａ，１１ｃ，１５ａ  前面、１１ｂ  傾斜面、１１ｄ  下面、１２，１２Ａ，１９  基板、１３，１３Ａ，２０  マーク、１５  表示器、１６  ケーブル。
【図１】
2019149865.tif 000003
【図２】
2019149865.tif 000004
【図３】
2019149865.tif 000005
【図４】
2019149865.tif 000006
【図５】
2019149865.tif 000007
【図６】
2019149865.tif 000008
【図７】
2019149865.tif 000009
【図８】
2019149865.tif 000010
【図９】
2019149865.tif 000011
【図１０】
2019149865.tif 000012
【図１１】
2019149865.tif 000013
【図１２】
2019149865.tif 000014
【図１３】
2019149865.tif 000015
【図１４】
2019149865.tif 000016
【図１５】
2019149865.tif 000017
【図１６】
2019149865.tif 000018
【図１７】
2019149865.tif 000019